(57)【要約】      （修正有）【課題】扱いやすい化粧コンパクトの引出しの提供【解決手段】ケースと、ケースにヒンジ留めされたカバーと、前記ケース又は前記カバーのいずれかによって画定された凹部３内でスライドする引出し８と、引出しを凹部内の閉じた位置で保持できるようにする閉鎖部材２４と、引出しと一体式のばね２１を形成する少なくとも１つの部材によって発生する弾性によるばねの戻り力の作用下で、凹部からの引出しの開放がケースからのカバーの開放とは無関係に、引出しを開放する作動手段２７とを具備する化粧コンパクト１。【選択図】図４
2005046626.tif 000002
【特許請求の範囲】
【請求項１】
ｉ）ケース、
ｉｉ）該ケース上で軸を中心に回転するカバー、
ｉｉｉ）前記ケース又は前記カバーによって画定された凹部（３）内をスライドする引出し（８）、
ｉｖ）該引出し（８）を、凹部（３）内の閉じた位置で保持することを可能にする閉鎖部材（２４）、及び
ｖ）引出しと一体型のばね（２１）を形成する少なくとも１つの部材によって発生する弾性によるばねの戻り力の作用下で、前記ケースからの前記カバーの開放とは無関係に、凹部から引出しを開放する作動手段（２７）
を具備する化粧コンパクト（１）。
【請求項２】
ばねを形成する部材が、引出しの背面パネル（２２）と一体であることを特徴とする、請求項１に記載のコンパクト。
【請求項３】
閉じた位置において、ばねを形成する部材が、開いた位置において引き出しが現れる凹部の開口（４）とは反対側の、凹部の底部に接することを特徴とする、請求項１又は２に記載のコンパクト。
【請求項４】
ばねを形成する部材が、引出しが閉じた位置にあるとき弾性的に圧縮される少なくとも１つの柔軟性のタブ（２１ａ，２１ｂ）を具備することを特徴とする、請求項１ないし３のいずれか１項に記載のコンパクト。
【請求項５】
柔軟性のタブが引出しに固定されていることを特徴とする、請求項４に記載のコンパクト。
【請求項６】
柔軟性のタブが、射出成形等の成形によって引出しに設けられることを特徴とする、請求項４に記載のコンパクト。
【請求項７】
前記閉鎖部材が、引出しと一体となっている第１の部分（２４，２５）から形成されており、前記凹部を画定するケース又はカバーに設けられた第２の部分（２６）と契合するようになっていることを特徴とする、請求項１ないし６のいずれか１項に記載のコンパクト。
【請求項８】
閉鎖部材が、弾性的に変形可能なタブ（２４）を備えた弾性的な内部のロック手段（２５，２６）を形成しており、前記タブには、引き出しの面を越えて突出し、凹部に設けられた逆止部材（２６）と契合する突起（２５）が設けられていることを特徴とする、請求項１ないし７のいずれか１項に記載のコンパクト。
【請求項９】
作動手段が、コンパクトの面の厚さ内に規定された、凹部の内側と連絡するプレート（２７）を形成しており、このプレートが弾性的に変形可能（２９）であることにより、内部の閉鎖部材（２４）に押し付けられると逆止部材（２６）との契合が解除されることを特徴とする、請求項８に記載のコンパクト。
【請求項１０】
引出しが凹部から完全に引き出されることを防ぐために、凹部の内壁に設けられたレール（３１）が、引出しに設けられたストッパ（３０）と契合することを特徴とする、請求項１ないし９のいずれか１項に記載のコンパクト。
【請求項１１】
引出しには、凹部の内壁に設けられたガイド溝（１１）内をスライドする側方突出部（１０）が設けられていることを特徴とする、請求項１ないし１０のいずれか１項に記載のコンパクト。
【請求項１２】
引出しが、化粧塗布用具、又は、可能であればカップに収納された化粧製品を収容するための少なくとも１つの空洞（１８）を具備することを特徴とする、請求項１ないし１１のいずれか１項に記載のコンパクト。
【請求項１３】
カバー（１２）が、ケースの面（６）にヒンジ留め（１３）されていることを特徴とする、請求項１ないし１２のいずれか１項に記載のコンパクト。
【請求項１４】
鏡（１５）が前記カバーの一面に設けられていることを特徴とする、請求項１ないし１３のいずれか１項に記載のコンパクト。
【請求項１５】
カバーが、好ましくは凹部から引出しが現れる開口（４）を備えた端部（５）とは反対側の、ケースの第１の端部（１４）にヒンジ留めされていることを特徴とする、請求項１ないし１４のいずれか１項に記載のコンパクト。
【請求項１６】
ケースの上面が製品又は塗布用具を収容するための少なくとも１つの第２の空洞（２０）を具備していることを特徴とする、請求項１ないし１５のいずれか１項に記載のコンパクト。
【請求項１７】
第２の空洞がカバーによって選択的に閉め切ることができることを特徴とする、請求項１６に記載のコンパクト。
【請求項１８】
前記引出しが、当該引出しの前面パネル（９）上にシール部材（３３）を具備しており、よって、引出しが閉じた位置にあるとき、漏れが発生しないように確実に凹部を閉鎖することを特徴とする、請求項１ないし１７のいずれか１項に記載のコンパクト。
【請求項１９】
アクリル、セルロース、アミド、炭酸塩、スチレン、エチレン、ビニル又はオレフィン化合物の誘導体等からなる発泡又は非発泡熱可塑性樹脂から形成されることを特徴とする、請求項１ないし１８のいずれか１項に記載のコンパクト。
【発明の詳細な説明】
【技術分野】
【０００１】
本発明は、スライドする引出しを装備した化粧コンパクトに関する。このコンパクトは、ブラッシャー、アイシャドウ、パウダー又は他の化粧製品を正確に塗布するために必要な一組の必需品を非常に小さなスペースに収容するのに特に便利である。このコンパクトの利点は、コンパクトが、引出しに対して補助的な開放動作を付与する簡単な手段を具備していることであり、また、使用時に多くの人間工学的利益を提供する。さらに、このコンパクトは、閉じると小さなスペースしか占有しない。
【背景技術】
【０００２】
現在の技術では、スライドする引出しを備えたコンパクトは、特許文献１により公知である。この基本的なコンパクトには、その中で引出しがスライドする凹部が設けられており、引出しをその凹部から出す動作は、凹部の底部と引出しの底部との間にコイルばねが存在することによって容易になっている。
【０００３】
引出しを凹部内に保持するために、コンパクトは、コンパクトの下面の縁部に回転可能に装着されたフックによって形成される外部ロック手段を具備している。引出しを閉じた位置で保持するためには、コンパクトの上面に契合するようにフックを回転させなくてはならず、そのため、引出しがすべり込む開口部上にバーが存在することになる。フックがこの位置にあって、バーの位置を取ると、引出しは必然的にその凹部内に挿入され、凹部の底部と引出しの底部との間に配置されたばねが圧縮される。
【０００４】
コンパクトのこの種のロック手段には、多くの問題がある。特に、金属ワイヤに付与した形状が直接形成するフックによって、操作の難しいロック手段が形成されている。閉じた位置からフックを解放しようとして、ユーザがフックの端部を指の爪の内側で押す危険がある。さらに、このフックは、引出しが開いているときには自由に回転するので、衣服に引っ掛かり、その際に製品が床又は前記衣服にこぼれ易いという危険がある。また、フックの取り付け手段がコンパクトの下面に設けられていると、この下面を下に向けて何かの表面上にコンパクトを安定的に置くことは、特に引き出しが開いている場合には不可能である。
【０００５】
さらに、特許文献１によるコンパクト内に設けられたばねが自由であると、ばねが金属製でコンパクト自体がプラスチック製である場合、これら２種の部材間の摩擦によってコンパクトの経年劣化が起こりうる。
【０００６】
従来技術、特に特許文献２により、凹部の縁部の１つにばねを設けることが提案されている。しかし、このようなコンパクトに設ける凹部の製造は、より複雑なものとなってしまう。
【０００７】
さらに、前記特許文献に記載されているように鏡を配置すると、鏡を見るためには、そのとき化粧製品の必要がなくとも引出しを開けなければならないという問題が生じる。また、鏡が製品に直接的に面して設けられるので、完全に清潔であることはない。引出し内に収容された製品で鏡が汚れることを回避するためには、製品と鏡との間に付加的な境界を設けなければならない。
【０００８】
最後に、補助的開放手段は、引出しがその凹部から隔離してしまうことを防止しなくてはならない。
【特許文献１】仏国特許第７０７３６１号
【特許文献２】米国特許第５０５４５０５号
【発明の開示】
【発明が解決しようとする課題】
【０００９】
本発明の課題は、上述の問題の全て又は一部を解決した、安価に製造可能で簡単なコンパクトを提供することにある。
【課題を解決するための手段】
【００１０】
本発明の目的は、
ｉ）ケース、
ｉｉ）該ケース上で軸を中心に回転するカバー、
ｉｉｉ）前記ケース又は前記カバーによって画定された凹部（３）内でスライドする引き出し（８）、
ｉｖ）引出しを凹部内の閉じた位置で保持することを可能にする閉鎖部材、及び
ｖ）引出しと一体型のばねを形成する少なくとも１つの部材によって発生した弾性によるばねの戻り力の作用下で、ケースからのカバーの開放とは無関係に、引出しを凹部から開放する作動手段、
を具備する化粧コンパクトである。
【００１１】
「弾性によるばねの戻り力」という表現は、ばねを形成する部材をその平衡位置へと駆動するあらゆる力を指す。
【００１２】
有利には、ばねを形成する部材は、引出しの背面パネルと一体となっている。「一体」という表現は、ばねが引出しに固定されていることを意味する。この場合、閉じた位置において、ばねを形成する部材は、開いた位置において引出しが現れる凹部の開口とは反対側の、凹部の底部に接することができる。
【００１３】
例えば、ばねを形成する部材は、引き出しが閉じた位置にあるときに弾性的に圧縮される少なくとも１つの柔軟性のタブを具備している。さらに詳細には、このばねを形成する部材が、作動手段が閉鎖部材を解放するときに引出しが受ける併進力を均一にするように設計された２つのタブを具備している。
【００１４】
好ましくは、これらのタブは引出しに固定されている。別の態様では、これらのタブは、引出しの成形、例えば射出成形によって得ることができる。この場合、ばねと引出しは一体である。
【００１５】
例えば、閉鎖部材は、引出しと一体となっている第１の部分から形成されており、凹部を画定するケース又はカバーの部分によって形成された第２の部分と契合するようになっている。この契合は、好ましくは、凹部を画定する前記ケース又は前記カバーを超えて張出すことなしに行われる。この場合、第２の部分は、ケース又は凹部の外側輪郭内に収まるようになっていて、局所的な突出部を形成することはない。
【００１６】
特に、閉鎖部材は、弾性的に変形可能なタブを備えた内部の弾性によるロック手段を形成していてよく、このタブに設けられた突起は、引出しの面を越えて突出しており、凹部に設けられた逆止部材と契合する。好ましくは、凹部に設けられたこの逆止部材は、この凹部を画定するケース又はカバーの面の１つが有する厚さ内で窓を形成するような形状である。この窓は、凹部の内側と外側との間に別の連絡を提供する。閉鎖部材は、特にこの窓から容易に作動できる。
【００１７】
この場合、好ましくは、作動手段は、外部にあって且つコンパクトの面の厚さ内に規定されたプレートを形成しており、凹部の内側と連絡している。このプレートは、弾性的に変形可能であって、例えば前記窓内に延びており、内部の閉鎖部材に接触して凹部内の逆止部材と内部の閉鎖部材との契合を解除することができるようになっている。
【００１８】
さらに、凹部の内壁は、凹部から引出しが完全に引き出されてしまうことを防ぐための引出しストッパと協働するレールを形成している。
【００１９】
有利には、引出しには、凹部の壁に設けられたガイド溝内をスライドする側方突出部が設けられている。
【００２０】
好ましい実施態様では、引出しは、化粧塗布用具、又はカップに保持できるような場合には化粧製品を収容するために設計された少なくとも１つの空洞を具備している。
【００２１】
さらに、カバーは、面、例えばケースの上面にヒンジ留めされていることができる。このカバーの面には、例えば鏡を設けることができる。特に、カバーは、好ましくは凹部から引出しが現れる開口を備えた端部とは反対側の、ケースの第１の端部にヒンジ留めすることができる。カバーが開いていてもいなくても、コンパクトを手で把持することができ、さらに、少なくとも１本の指を外部作動手段に載せて、内方に向かって押すことで、凹部に設けられた逆止部材と閉鎖部材との契合を解除し、これによって引出しを開けることができる。
【００２２】
このようなコンパクトの保管スペースを増大させてさらに塗布用具又は製品を収容するために、カバーが閉じる側にあるケースの面は、追加の製品又は塗布用具を収容するための少なくとも１つの第２の空洞を具備していてよい。この場合、この第２の空洞は、ヒンジ留めされたカバーによって選択的に閉め切ることができる。
【００２３】
好ましくは、引出しの前面にはシール部材が取り付けられており、引出しが閉じた位置にあるとき、漏れが発生しないように凹部を閉鎖する。このシール部材は、引出しがコンパクト内で閉じた位置にあるとき、開口の輪郭と引き出しの前面との間で圧縮される。
【００２４】
コンパクトは、例えば、アクリル、セルロース、アミド、炭酸塩、スチレン、エチレン、ビニル又はオレフィン化合物の誘導体等の、発泡又は非発泡熱可塑性樹脂からなっている。
【発明を実施するための最良の形態】
【００２５】
本発明は、下記の詳細説明及び添付図面を参照することにより、よりよく理解されるであろう。この説明及び図面は、参考のためにのみ付与されているのであって、これによって、本発明の範囲が限定されることは決してない。
【実施例】
【００２６】
図１は、本発明によるコンパクト１を示している。実施例に示すように、コンパクト１は、実質的に平行六面体の形状を有するケース２を具備しており、このケース２には凹部３が設けられている。この凹部３は、ケース２の側面５に設けられた開口４に開口している。好ましくは、この側面５は、短辺側である。つまり、ケース２は、上面６と下面７とを有し、これらはいずれも長方形であって、側面に該当する表面、特に側面５と比較して、より大きな面積を有している。例えば、凹部３は、ケース２内で長手方向に形成されていて、これにより、側面５は、コンパクトの長手方向の主軸と直行している。
【００２７】
引出し８は、凹部３内でスライドする。この引出し８は、閉じた位置において側面５上に位置するように設けられた前面パネル９を有する。凹部３内での引出し８の運動を容易にするために、引出し８には、長手方向のノッチ１０、若しくは側方突出部が設けられており、相補的なガイドスロット１１（図２）と契合するようになっている。ガイドスロット１１は、凹部３の内壁の少なくとも１つに設けられており、好ましくは、引出し８の両側の互いに平行な２つの内壁に沿って設けられている。ノッチ１０及びガイド溝１１の形状は、引出し８を凹部３内へ一方向にだけ挿入できるように構成することができる。
【００２８】
また、この実施例では、コンパクト１は、上面６の縁部１４でピン１３を中心に回転する、ヒンジ留めされたカバー１２を具備している。この場合、カバー１２は、カバー１２を上面６に向かって閉じた時にこの上面６に接するように配置された鏡１５を有している。引出し８を引き出したとき、及び引出し８に収容された製品を取り出すことができるように引き出し８に設けられたカップが上を向いているとき、上面６が上を向いている面となる。あるいは、ヒンジ留めされたカバーを、下面７に設けることもできる。
【００２９】
好ましくは、縁部１４は、開口４が形成されている側面５の一方の側を画定する縁部１７と反対側にある。以下に説明するように、この配置は、内部の引出し閉鎖部材と、この内部閉鎖部材の外部に設けられた作動手段とが、ヒンジ領域１３と反対側の縁部１７の側に好適に設けられる点で有利である。作動手段は、閉鎖部材のロックを解除して、これによって引出し８を解放するための手動圧力を受けるように意図されているので、この圧力によってカバー１２のヒンジが損傷するような危険はない。
【００３０】
カバー１２を上面６へ向かって閉じたとき、これを閉じた位置と呼び、この位置は、簡単かつ独立した閉鎖手段５０によって維持される。この閉鎖手段５０は、例えば、力を加えることにより穴５２に挿入されるスタッド５１を具備しており、このスタッド５１と穴５２とはそれぞれが互いに対応するように設けられており、つまり、一方がカバー１２又は上面６に配置されるか、他方が上面６又はカバー１２に配置される。
【００３１】
図示した実施例では、閉鎖手段５０は、カバー１２に設けられて上面６に設けられた相補的な穴５２に力を加えることにより挿入するように設計されたスタッド５１を有している。穴５２は上面６の厚さを貫通しないので、穴５２とスタッド５１とが契合することにより、スタッド５１が凹部３に突入することはない。したがって、閉鎖手段５０は、凹部３内の引出し８の運動を妨げることはない。ゆえに、カバー１２の閉鎖手段５０によって、内部の閉鎖部材の外部作動手段とは無関係に、凹部３内の閉じた位置に引き出し８を保持することが可能となる。
【００３２】
つまり、スタッド５１と穴５２との契合を解除することによって、前記の外部作動手段の操作に影響を与えることなく、閉じた位置から開いた位置、すなわちカバーがケースを覆っていない位置へカバーを動かすことができる。これら２つの手段は独立している。カバーを開くためには、使用者は、好ましくは、ケース２の、面６及び７の間に画定された外側の縁部を一方の手で把持し、それと対応するカバー１２の外側の縁部を他方の手で把持して、ヒンジ１３によって回転運動を生じさせ、その後互いに離れる方向に両手を動かす。したがって、コンパクトを把持する際、下面７に設けられた前記外部作動手段を操作してしまう危険はない。
【００３３】
スタッド５１は、好ましくは、ピン１３が回転可能に装着されている縁部１４とは反対の側に設けられる。別の態様では、カバー１２が上面６に対して閉じている状態を維持するために、引出し８の外部作動手段から独立した別の任意のタイプのロック手段を用いてもよい。
【００３４】
コンパクト１が化粧品用容器であるならば、引出し８は、化粧製品、若しくは化粧用パフ又はブラシ又はスポンジ製塗付用具のような化粧用品を保持するために設計された第１の空洞１８を具備している。この空洞１８は、引出しの上面１９に画定されており、この引出し８の上面１９は、コンパクトの上面６に最も近い位置にある。図示した実施例では、この上面６も別の化粧製品及び/又は別の化粧用品を保管するための第２の空洞２０を具備している。
【００３５】
第１の空洞１８への到達は、補助的な引出し８の開放手段によって容易になる。つまり、引出し８はばね手段２１を具備しており、本実施例の場合このばね手段は前面パネル９と反対側の背面パネル２２から伸びる２つの湾曲ブレード２１ａ及び２１ｂからなる。これらの湾曲ブレード２１ａ及び２１ｂは、弾性により変形可能であり、引出し８が閉じた位置にあるとき、つまり、前面パネル９が側面５に接するように凹部３に挿入されているとき、凹部３の底部に押し付けられている。ばね手段が接触する凹部の底部は、開口４を備えた側面５の反対側にある。
【００３６】
湾曲ブレード２１ａ及び２１ｂは、例えば引出し８の背面２２に固定されるか、又は成形、例えば射出成形によって直接的に得られる。ここに示されているブレードでは、それぞれの自由端が背面２２の中央部分に位置している。本実施例の場合、ばね手段は成形によって得られたものであり、引出し８はＰＯＭ（ポリオキシメチレン）からなっている。
【００３７】
したがって、引出し８は、閉じた位置から解放されると、少なくとも部分的に凹部３から取り出される。このような閉じた位置で軽く圧縮される場合、又は発生させる力が弱い場合、ばね手段２１は、引出し８に対し、最初の開放動作を与えるだけである。
【００３８】
引出し８を取り出すこれらの手段に加えて、引出し８には、下面２３に、引出し８を閉じた位置に保持するように設計されたロックタブ２４によって形成された閉鎖部材が設けられている。このタブ２４は弾性により変形可能であり、凹部３の内壁に設けられた逆止部材２６に契合するように設計された突起２５を具備している。タブ２４は引出し８に設けられているので、この閉鎖部材は、閉じた位置では完全に凹部３の内部に配置されている。コンパクト１の外部から引出し８を閉じた位置から解放可能にするため、好ましくは、逆止部材２６が、ケース２の下面７の厚さ内で形成された窓２８の張出し部に相当している。
【００３９】
これにより、タブ２４に設けられた突起２５を、外部作動手段２７によってこの下面７の外側表面から押し戻すことができる。外部作動手段２７は、窓２８に画定された弾性的に変形可能なプレートである。このプレート２７は、薄いストリップ２９によって窓２８の縁部の１つに取り付けられている。この薄いストリップ２９は好適な曲げ領域を形成しており、これにより下面７の外側表面によって形成される平面に対して、プレート２７を少なくともわずかに押し込むことができる。
【００４０】
プレート２７は、図４の矢印Ｐによって示される指圧によって押し込むことができ、好ましくは、この力は下面７に対して直角に加えられる。好ましくは、引出し８を開けようと意図してコンパクトを把持するとき、親指で必要な圧力をプレート２７に加えることができるように片方の手で挟み道具のような形をつくり、その他の指は上面６、又はカバーが閉じている場合はカバー１２に置いたままにする。
【００４１】
引出し８が閉じた位置にあって、タブ２４が窓２８に設けられた逆止部材２６によってブロックされているとき、プレート２７は必然的にタブ２４に向かい合うように位置する。プレート２７が押し込まれると、プレート２７はタブ２４に向かって押され、これにより、タブ２４は引出し８の下面２３の平面に対して内方へ動く。つまり、タブ２４は、休止位置では下面２３に形成された凹み２３ｂから離れて位置しており、この凹み２３ｂ内へと押しこまれる。
【００４２】
タブ２４の凹み２３ｂ内への押し込みは、プレート２７を介して行われ、これによって、突起２５と張出し部２６との間の契合が解除される。すると、引出し８の開放はもはや阻止されなくなる。さらに、ばね手段２１の圧縮がゆるむことによって引出し８の開放が容易になり、ばね手段２１によって引出し８が凹部３から押し出される。
【００４３】
第１の空洞１８の全体に到達するためには、下面７を手のひらに載せ、他方の手で、例えば前面パネル９を把持することによって引出しを引き出す。引出し８が凹部３から完全に取り外されてしまうことは、背面パネル２２の近傍の下面２３に設けられているストッパ３０によって阻止される。このストッパ３０は、わずかに弾性的に変形可能であり、制限された深さを備えた長手方向のレール３１と契合するように設計されており、このレール３１には、窓２８の近傍に抑止部材３２が設けられていて、凹部３から引出し８が最大に引き出されたときの長さを制限している。この抑止部材３２は、引出し８がその凹部３から完全に外れてしまうことを防ぐ。その結果、第１の空洞１８のサイズは、最適化されかつ最大化される。
【００４４】
しかし、引出し８を凹部３に取り付ける場合には、ストッパ３０を押し入れて抑止部材３２を通過させ、レール３１と契合させることができる。
【００４５】
好ましくは、第１の空洞１８の漏れ防止を保証するために、凹部３の全体がシールされる。このため、前面パネル９はシール部材３３を含み、開口４の外側輪郭３４全体、すなわち側面５に接触する。
【００４６】
本明細書を通して「〜を具備する」という表現は、特別な記述がない限り「少なくとも〜を具備する」と同意義であると理解されたい。
【図面の簡単な説明】
【００４７】
【図１】開いた位置における本発明によるコンパクトの斜視図である。
【図２】本発明によるコンパクトの分解図である。
【図３】本発明によるコンパクトの底面図である。
【図４】閉じた位置における本発明によるコンパクトの側向断面図である。
【符号の説明】
【００４８】
１    コンパクト
２    ケース
３    凹部
４    開口
５    側面
６    上面
７    下面
８    引き出し
９    前面パネル
１０    突出部、ノッチ
１１    ガイド溝、ガイドスロット
１２    カバー
１３    ピン
１４    縁部
１５    鏡
１７    縁部
１８    第一の空洞
１９    引き出しの上面
２０    第二の空洞
２１    ばね手段
２２    引き出しの背面
２３    引き出しの下面
２４    ロックタブ
２５    ロック手段突起
２６    ロック手段、逆止部材
２７    外部作動手段
２８    窓
２９    ストリップ
３０    ストッパ
３１    レール
３２    抑止部材
３３    シール部材
３４    開口の外側輪郭
５０    閉鎖手段
５１    スタッド
５２    穴
【図１】
2005046626.tif 000003
【図２】
2005046626.tif 000004
【図３】
2005046626.tif 000005
【図４】
2005046626.tif 000006